(57)【要約】【課題】高速回転時に安定した挙動をする合成樹脂製の保持器を備えた深溝玉軸受を提供する。【解決手段】内周に円弧状の外側転走面２ａが形成された外輪２と、外周に円弧状の内側転走面３ａが形成された内輪３と、両転走面間に保持器５を介して転動自在に収容された複数のボール４と、外輪２の両端部に装着されたシール６とを備え、軸受内部にグリースが封入された深溝玉軸受１において、外輪２の内径２ｂが研削加工によって所定の寸法・精度に形成されると共に、保持器５が合成樹脂を射出成形によって形成されたスナップオンタイプで構成され、外輪２の内径２ｂと保持器５との径方向すきまαが、保持器５の径方向動き量βよりも小さくなるように設定されているので、軸受の高速回転によって生じる遠心力によって保持器５が偏心運動するのを抑えると共に、変形を抑えることができ、安定した挙動を得ることができる。【選択図】図２
2007292093.tif 000002
【特許請求の範囲】
【請求項１】
内周に円弧状の外側転走面が形成された外輪と、
外周にこの外側転走面に対向する円弧状の内側転走面が形成された内輪と、
前記両転走面間に保持器を介して転動自在に収容された複数のボールと、
前記外輪と内輪との間に形成される環状空間の開口部に装着されたシールとを備え、
軸受内部に所定量のグリースが封入された深溝玉軸受において、
前記保持器が合成樹脂を射出成形によって形成されたスナップオンタイプで構成されると共に、前記外輪の内径と保持器との径方向すきまが、当該保持器の径方向動き量よりも小さくなるように設定されていることを特徴とする深溝玉軸受。
【請求項２】
前記外輪の内径が研削加工によって所定の寸法・精度に形成されている請求項１に記載の深溝玉軸受。
【請求項３】
前記深溝玉軸受が未使用状態で、前記ボールと、前記外輪の外側転走面および前記内径と保持器とのすきま内に前記グリースが供給されている請求項１または２に記載の深溝玉軸受。
【発明の詳細な説明】
【技術分野】
【０００１】
本発明は、プーリ等を回転自在に支承する深溝玉軸受、特に、高速回転時に安定した挙動をする合成樹脂製の保持器を備えた深溝玉軸受に関するものである。
【背景技術】
【０００２】
従来、転がり軸受の中でも回転トルクが小さく、ミスアライメントに対しても所望の耐久性を発揮するため、プーリ等の回転部材を支承する転がり軸受として深溝玉軸受が一般的に多用されている。この深溝玉軸受には、組立が容易で低コストな合成樹脂製の保持器が使用されている。図３は、このような保持器の代表的な一例である。
【０００３】
この保持器５０は、環状の保持器本体５１の端面に、周方向に一定間隔で対向する２つ一組の保持爪５２、５２が設けられている。この保持爪５２は互いに接近する方向に湾曲させてその間に凹球面に形成されたポケット５３を備えている。保持爪５２の背面間には保持爪５２が立ち上がる平坦な基準面５４を有し、適度な弾性を保持爪５２に付与している。そして、この保持爪５２を弾性変形させてボール（図示せず）に装着し、ボールを所定のポケットすきまを介して包持している。
【０００４】
このようなスナップオンタイプの保持器５０は、例えば、ポリアミド樹脂のような陽イオン基を有する合成樹脂の分子鎖と、モリモリロナイトのような負電荷を有する層状ケイ酸塩とをイオン結合させた状態で、合成樹脂８０〜９９．５重量％中に層状ケイ酸塩０．５〜２０重量％を均一分散させた複合材料によって形成されている。これにより、曲げ強度や所望の機械的強度が得られ、軸受の高速回転によって生じる遠心力に対しても変形量を抑えることができる。
【特許文献１】特開平１１−２６４４１８号公報
【発明の開示】
【発明が解決しようとする課題】
【０００５】
然しながら、こうした従来のスナップオンタイプの保持器５０は、複合材料によって機械的強度が得られ、遠心力に対しても変形量を抑えることができるが、ボールに案内される転動体案内タイプであるため、軸受の高速回転によって生じる遠心力によって保持器５０が偏心運動して外輪内径に部分接触したり、保持爪５２の角部がボールに接触して変形し、保持器５０の安定した挙動を保つことが難しい。これにより、保持器５０に異常摩耗が生じると共に、振動や異音発生の要因となる恐れがある。
【０００６】
本発明は、このような事情に鑑みてなされたもので、高速回転時に安定した挙動をする合成樹脂製の保持器を備えた深溝玉軸受を提供することを目的としている。
【課題を解決するための手段】
【０００７】
係る目的を達成すべく、本発明のうち請求項１記載の発明は、内周に円弧状の外側転走面が形成された外輪と、外周にこの外側転走面に対向する円弧状の内側転走面が形成された内輪と、前記両転走面間に保持器を介して転動自在に収容された複数のボールと、前記外輪と内輪との間に形成される環状空間の開口部に装着されたシールとを備え、軸受内部に所定量のグリースが封入された深溝玉軸受において、前記保持器が合成樹脂を射出成形によって形成されたスナップオンタイプで構成されると共に、前記外輪の内径と保持器との径方向すきまが、当該保持器の径方向動き量よりも小さくなるように設定されている。
【０００８】
このように、深溝玉軸受における保持器が合成樹脂を射出成形によって形成されたスナップオンタイプで構成されると共に、外輪の内径と保持器との径方向すきまが、当該保持器の径方向動き量よりも小さくなるように設定されているので、軸受の高速回転によって生じる遠心力によって保持器が偏心運動するのを抑えると共に、保持器の変形を抑えることができ、安定した保持器の挙動を得ることができる。したがって、保持器の異常摩耗を防止し、振動や異音発生を防止することができる。
【０００９】
好ましくは、請求項２に記載の発明のように、前記外輪の内径が研削加工によって所定の寸法・精度に形成されていれば、所望の保持器案内すきまを設定することができる。
【００１０】
また、請求項３に記載の発明のように、前記深溝玉軸受が未使用状態で、前記ボールと、前記外輪の外側転走面および前記内径と保持器とのすきま内に前記グリースが供給されていれば、運転初期の段階においても良好な潤滑をすることができると共に、輸送時の振動あるいは衝撃荷重による外輪の外側転走面とボールとのフレッティングを防止し、耐久性を向上させることができる。
【発明の効果】
【００１１】
本発明に係る深溝玉軸受は、内周に円弧状の外側転走面が形成された外輪と、外周にこの外側転走面に対向する円弧状の内側転走面が形成された内輪と、前記両転走面間に保持器を介して転動自在に収容された複数のボールと、前記外輪と内輪との間に形成される環状空間の開口部に装着されたシールとを備え、軸受内部に所定量のグリースが封入された深溝玉軸受において、前記保持器が合成樹脂を射出成形によって形成されたスナップオンタイプで構成されると共に、前記外輪の内径と保持器との径方向すきまが、当該保持器の径方向動き量よりも小さくなるように設定されているので、軸受の高速回転によって生じる遠心力によって保持器が偏心運動するのを抑えると共に、保持器の変形を抑えることができ、安定した保持器の挙動を得ることができる。したがって、保持器の異常摩耗を防止し、振動や異音発生を防止することができる。
【発明を実施するための最良の形態】
【００１２】
内周に円弧状の外側転走面が形成された外輪と、外周にこの外側転走面に対向する円弧状の内側転走面が形成された内輪と、前記両転走面間に保持器を介して転動自在に収容された複数のボールと、前記外輪と内輪との間に形成される環状空間の開口部に装着されたシールとを備え、軸受内部に所定量のグリースが封入された深溝玉軸受において、前記外輪の内径が研削加工によって所定の寸法・精度に形成されると共に、前記保持器が合成樹脂を射出成形によって形成されたスナップオンタイプで構成され、前記外輪の内径と保持器との径方向すきまが、当該保持器の径方向動き量よりも小さくなるように設定されている。
【実施例】
【００１３】
以下、本発明の実施の形態を図面に基づいて詳細に説明する。
図１は、本発明に係る深溝玉軸受の一実施形態を示す縦断面図、図２は、図１のＡ−Ａ線に沿った横断面図である。
【００１４】
この深溝玉軸受１は、内周に円弧状の外側転走面２ａが形成された外輪２と、外周にこの外側転走面２ａに対向する円弧状の内側転走面３ａが形成された内輪３と、両転走面間に収容された複数のボール４と、これらのボール４を転動自在に保持する保持器５と、外輪２の両端部に装着されたシール６、６とを備え、軸受内部に所定の潤滑グリースが封入されて密封型の深溝玉軸受１を構成している。
【００１５】
外輪２、内輪３およびボール４は、ＳＵＪ２等の高炭素クロム軸受鋼からなり、ズブ焼入れにより芯部まで５８〜６４ＨＲＣの範囲で硬化処理されている。一方、保持器５は、ＰＡ（ポリアミド）６６等の射出成形可能な合成樹脂で形成され、ＧＦ（グラスファイバー）やＣＦ（カーボンファイバー）等の強化剤が適量添加されている。
【００１６】
保持器５は、図２に示すように、環状の保持器本体７の端面に、周方向に一定間隔で対向する２つ一組の保持爪８、８が設けられている。この保持爪８は互いに接近する方向に湾曲させてその間に凹球面に形成されたポケット９を備えている。保持爪８の背面間には保持爪８が立ち上がる平坦な基準面７ａを有し、適度な弾性を保持爪８に付与している。そして、この保持爪８を弾性変形させてボール４に装着し、ボール４を所定のポケットすきま（片側）ｅを介して包持する、所謂スナップオンタイプで構成されている。
【００１７】
ここで、本実施形態では、外輪２の内径２ｂが研削加工によって所定の寸法・精度に形成されると共に、この内径２ｂによって保持器５が案内される、所謂外輪案内タイプで構成されている。すなわち、保持器５と外輪２の内径２ｂとの径方向すきま（片側）αが、保持器５のポケットすきまｅによって生じる保持器５の径方向の動き量βよりも小さくなるように設定されている（α＜β）。これにより、軸受の高速回転によって生じる遠心力によって保持器５が偏心運動するのを抑えると共に、保持器５の変形を抑えることができ、安定した保持器５の挙動を得ることができる。したがって、保持器５の異常摩耗を防止し、振動や異音発生を防止することができる。
【００１８】
さらに、軸受内部に封入された潤滑グリースが遠心力によって外輪２側に移動し、この径方向すきまα内に進入して良好なグリースの供給ができ、保持器５の異常摩耗を防止すると共に、安定した保持器５の挙動が期待できる。
【００１９】
なお、予め軸受内部にグリースを封入する際、グリース供給ノズル（図示せず）をこの径方向すきまα内にも向けて供給することにより、グリースが外輪２の外側転走面２ａや内径２ｂに供給され、運転初期の段階においても容易に油膜層が形成されて良好な潤滑をすることができる。したがって、輸送時の振動あるいは衝撃荷重による外輪２の外側転走面２ａとボール４とのフレッティングを防止し、耐久性を向上させることができる。
【００２０】
以上、本発明の実施の形態について説明を行ったが、本発明はこうした実施の形態に何等限定されるものではなく、あくまで例示であって、本発明の要旨を逸脱しない範囲内において、さらに種々なる形態で実施し得ることは勿論のことであり、本発明の範囲は、特許請求の範囲の記載によって示され、さらに特許請求の範囲に記載の均等の意味、および範囲内のすべての変更を含む。
【産業上の利用可能性】
【００２１】
本発明に係る深溝玉軸受は、例えば、プーリ等の高速回転する回転部材を回転自在に支承し、合成樹脂製の保持器を備えた深溝玉軸受に適用することができる。
【図面の簡単な説明】
【００２２】
【図１】本発明に係る転がり軸受の一実施形態を示す縦断面図である。
【図２】図１のＡ−Ａ線に沿った横断面図である。
【図３】従来の深溝玉軸受用の保持器を示す斜視図である。
【符号の説明】
【００２３】
１・・・・・・・・深溝玉軸受
２・・・・・・・・外輪
２ａ・・・・・・・外側転走面
２ｂ・・・・・・・内径
３・・・・・・・・内輪
３ａ・・・・・・・内側転走面
４・・・・・・・・ボール
５・・・・・・・・保持器
６・・・・・・・・シール
７・・・・・・・・保持器本体
７ａ・・・・・・・基準面
８・・・・・・・・保持爪
９・・・・・・・・ポケット
ｅ・・・・・・・・ポケットすきま
α・・・・・・・・径方向すきま
β・・・・・・・・径方向動き量
【図１】
2007292093.tif 000003
【図２】
2007292093.tif 000004
【図３】
2007292093.tif 000005